(57)【要約】【課題】  キヤリッジの移動速度の変更で歯付ベルトとプーリとの噛合で生じる騒音の周波数が変化する場合でも、騒音のピーク周波数を効率よく消音することができる画像形成装置を提供する。【解決手段】  移動するキャリッジに搭載された記録ヘッドと、キャリッジに駆動を伝達するためのプーリと、プーリに張架されるとともにキャリッジに連結された歯付ベルトと、を備える。さらに、歯付ベルトとプーリの噛合で生じる騒音を、プーリを囲む消音室により低減する消音器を備える。消音器は、消音室の歯付ベルトの出入口が形成された移動壁を移動させることにより、消音室のダクト長を調整して消音周波数を調整する。【選択図】  図１
2009041694.tif 000002
【特許請求の範囲】
【請求項１】
移動するキャリッジに搭載された記録ヘッドにより画像を記録する画像形成装置において、
前記キャリッジに駆動を伝達するためのプーリと、
前記プーリに張架されるとともに該キャリッジに連結された歯付ベルトと、
前記歯付ベルトと前記プーリの噛合で生じる騒音を、前記プーリを囲む消音室により低減する消音器と、を備え、
前記消音器は、前記消音室の前記歯付ベルトの出入口が形成された移動壁を移動させることにより、該消音室のダクト長を調整して消音周波数を調整することを特徴とする画像形成装置。
【請求項２】
前記消音器は、前記プーリを囲む内部消音室と該内部消音室に連通された外部消音室とを有し、前記外部消音室の前記歯付ベルトの出入口が形成された移動壁を移動させることにより、該消音室のダクト長を調整して消音周波数を調整することを特徴とする請求項１に記載の画像形成装置。
【請求項３】
前記キャリッジの移動速度の変更に基づいて前記消音室のダクト長を調整することを特徴とする請求項１または２に記載の画像形成装置。
【請求項４】
前記キヤリッジが移動するときに発生する騒音の周波数に応じて前記ダクト長を調整することを特徴とする請求項１乃至３のいずれか１項に記載の画像形成装置。
【発明の詳細な説明】
【技術分野】
【０００１】
本発明は、往復移動するキャリッジに搭載された記録ヘッドにより画像を記録する画像形成装置に関する。
【背景技術】
【０００２】
プリンタ、複写機、ファクシミリ等の機能を有する画像形成装置は、画像情報に基づいて、記録媒体である記録シートに画像を記録するように構成されている。画像形成装置は、記録方式により、インクジェット式、ワイヤドット式、サーマル式、レーザービーム式等に分けることができる。また、記録動作の形態には、記録シートを走査する主走査と記録シートを搬送する副走査を用いるシリアルタイプと、副走査のみで記録していくラインタイプなどがある。シリアルタイプでは、往復移動するキャリッジに搭載された記録ヘッドを用い、キャリッジの主走査移動に同期して記録する１ラインの記録と、所定ピッチの紙送り（副走査）とを交互に繰り返すことで、記録シート全体の記録が行われる。
【０００３】
ところで、画像形成装置から発生する騒音には、主として、装置内に装着されるファンの作動に関連した流体音、記録媒体の搬送音、キャリッジ駆動機構の動作音などがある。これらのうち、キャリッジ駆動機構の動作音は、その他の音源に比べて、騒音を低減するのに有効な消音対策が少ない。
【０００４】
従来の画像形成装置におけるキャリッジ駆動の際の騒音低減対策は、記録速度を落とした静音記録条件を選択する方法、あるいは、装置外装の開口部に遮音カバーを設ける方法などで行っていた。また、機械的駆動系におけるギア等の伝動機構の騒音については、伝動機構を密閉して囲いヘルムホルツ共鳴型の消音器を構成して消音する方法が、例えば特許文献１に提案されている。
【特許文献１】特開２００４−３５３７５４号公報
【発明の開示】
【発明が解決しようとする課題】
【０００５】
画像形成装置においては、多様な材質のメディア（記録媒体）に対応しながら記録速度優先あるいは画質優先といったニーズに合わせた記録を実現するため、キヤリッジの走査速度も複数の条件に応じて複数段階に設定される。キヤリッジ走査時のベルトピッチ音は、走査速度に応じて騒音周波数が変化する。このため、複数の周波数の騒音に対応可能であることが要請される。また、大判インクジェットプリンタ等の大型の画像形成装置においては、さらにスループットの向上が求められている。このため、記録ヘッドの走査速度のさらなる向上が求められ、ベルトピッチ音が増大する傾向さえ見られる。また、メディアの記録幅も、例えば１７インチ幅から６０インチ幅へと拡大する傾向が見られる。このため、騒音の機外への拡散を防止するために画像形成装置の開口部を遮音するといった従来の騒音対策では、大きな遮音カバーが必要となり、かなりのコストアップを招くことになる。
【０００６】
本発明はこのような技術的課題に鑑みてなされたものである。本発明の目的は、キヤリッジの移動速度の変更で歯付ベルトとプーリとの噛合で生じる騒音の周波数が変化する場合でも、騒音のピーク周波数を効率よく消音することができる画像形成装置を提供することである。
【課題を解決するための手段】
【０００７】
本発明は、移動するキャリッジに搭載された記録ヘッドにより画像を記録する画像形成装置において、前記キャリッジに駆動を伝達するためのプーリと、前記プーリに張架されるとともに該キャリッジに連結された歯付ベルトと、前記歯付ベルトと前記プーリの噛合で生じる騒音を、前記プーリを囲む消音室により低減する消音器と、を備え、前記消音器は、前記消音室の前記歯付ベルトの出入口が形成された移動壁を移動させることにより、該消音室のダクト長を調整して消音周波数を調整することを特徴とする。
【発明の効果】
【０００８】
本発明によれば、キヤリッジの移動速度の変更で歯付ベルトとプーリとの噛合で生じる騒音の周波数が変化する場合でも、騒音のピーク周波数を効率よく消音することができる画像形成装置が提供される。
【発明を実施するための最良の形態】
【０００９】
以下、図面を参照して本発明の実施形態を具体的に説明する。なお、各図面を通して同一符号は同一又は対応部分を示すものである。
〔第１の実施形態〕
図３は第１の実施形態に係る画像形成装置の斜視図である。図４は第１の実施形態に係る画像形成装置の縦断面図である。本実施形態は、画像形成装置が大判の記録シートに記録可能なインクジェット記録装置である場合を示す。図３及び図４において、画像形成装置１は、大きく分けて、ロール紙ホルダ１０、画像形成部２０及び排紙部３０で構成されている。ロール紙ホルダ１０は、ロール状の記録シート（ロール紙）Ｐｒを回転可能に保持するとともに、該記録シートＰｒを給送する。画像形成部２０は、ロール紙ホルダ１０から送り出されて搬送される記録シートＰｒに画像を形成する。排紙部３０は、画像形成された記録シートを装置本体外へ排出する。
【００１０】
ロール紙ホルダ１０内には、スプール軸１１及び一対のスプールフランジ１２Ｌ、１２Ｒによりロール紙Ｐｒが回転自在に保持されている。ロール紙ホルダ１０は、ロール紙Ｐｒの交換作業を容易にするため、一対のスライドレール１３Ｌ、１３Ｒに沿って引き出し可能に装着されている。画像形成部２０には、キャリッジ４０、記録ヘッド４１、ＬＦ（ラインフィード）ローラ２１、複数個のピンチローラ２２、及びプラテン２２などが設けられている。ＬＦローラ２１は記録のときに記録シートを所定量ずつピッチ搬送する。ピンチローラ２２は、ＬＦローラ２１に押圧力Ｆで圧接されて従動回転することにより、記録シートに搬送力を付与する。プラテン２３は記録ヘッド４１と対向する位置で記録シートを支持するものであり、本実施形態では、記録シートを裏面から吸引しつつ平面状に支持する吸引プラテンで構成されている。キャリッジ４０は、記録ヘッド４１を搭載して記録シート３１に沿って搬送方向Ｙと交差するＸ方向に主走査移動する。
【００１１】
図３及び図４において、搬送ローラ２１は、記録するときに記録媒体であるロール紙Ｐｒを所定ピッチで間欠送りするための搬送手段を構成している。画像形成部２０には、搬送ローラ２１に所定の押圧力で当接して従動回転する複数個のピンチローラ２２と、記録ヘッド４１と対向する位置でロール紙を案内支持するためのプラテン２３が設けられている。本実施形態では、プラテン２３は、記録媒体を裏面から負圧で吸引しつつ平面状に案内支持する吸引プラテン２３が使用されている。また、画像形成部には、記録ヘッド４１を搭載して搬送方向（Ｙ方向、副走査方向）と交差する方向（Ｘ方向、主走査方向）に往復移動可能なキャリッジ４０が設けられている。なお、記録媒体Ｐｒの材質は紙やプラスチックシートに限定されるものではなく、画像記録が可能な材質であれば、種々の材質のものを使用することができる。
【００１２】
次にキャリッジ４０上の構成について説明する。本実施形態の記録ヘッド４１は、画像情報に基づいて吐出口からインクを吐出して記録シートＰｒに画像を記録するインクジェット記録ヘッドである。キャッリッジ４０は、装置本体のメインステー５０上に取り付けられた一対の平行なメインレール５１及びサブレール５２上を、それぞれ軸受４２及びスライド軸受４３を介して往復移動する。軸受４２及びスライド軸受４３はキャリッジ４０の移動方向両端部に設けられている。スライド軸受４３は、キャリッジ４０に対し記録シート搬送方向（矢印Ｙ方向）に摺動可能に装着されており、スライドバネ４３ａによりサブレール５２へ所定の押圧力で圧接されている。このような構成により、キャリッジ４０は常にメインレール５１の片側に付勢されることになり、移動時の振動や、軸受４２の嵌合遊びによる暴れなどを防止することができる。
【００１３】
メインステー５０の端部近傍には、キャリッジ４０を駆動するためのキャリッジモータ（不図示）が配されている。キャリッジモータ４１の駆動プーリ１０２とメインステー５０上の対向位置に配された従動プーリ１０１からなる一対のプーリに、キャリッジ４０に連結された歯付ベルト５４が張架されている。従って、キャリッジ４０は、キャリッジモータにより、歯付ベルト５４を有する伝動機構を介して駆動される。キャリッジ４０上のスライド軸受４３の近傍にリニアセンサ４４が配されている。リニアセンサー４４は、メインステー５０に取り付けられたリニアスケール５３を読み取る。この読取信号に基づいて、キャリッジモータの駆動や記録ヘッド４１による画像形成などを制御している。
【００１４】
図５は画像形成装置におけるキヤリッジのベルト伝動機構を示す斜視図である。図５において、記録ヘッド（不図示）を搭載したキヤリッジ４０は、キヤリッジモータ１００側の駆動プーリ１０２と反対側の従動プーリ１０１とに張架された歯付ベルト５０からなるベルト伝動機構を介して駆動される。歯付ベルト５０と歯付ベルトで構成されている。
【００１５】
図６は歯付ベルト５４の一部の斜視図である。図７は記録動作における図５のベルト伝動機構の騒音プロファイルを例示する図表である。図７の騒音プロファイルは、歯付ベルト５４の歯ピッチが１ｍｍで、キャリッジ４０を２５インチ／秒の速度で駆動した場合を示す。この騒音プロファイルでは、騒音のピーク値は６７５Ｈｚ近傍の周波数で発生している。このピーク値を示す騒音は、歯付ベルト５４がプーリ１０１と噛み合うときに発生する噛合音（騒音）である。以下では、この噛合音を以下ではベルトピッチ音と呼ぶ。このベルトピッチ音は、歯付ベルト５４の歯の間隔Ｐ（図６）に対応する周波数で発生している。この間隔Ｐを、以下では歯付ベルトピッチという。また、この歯付ベルトピッチは、画像形成装置により任意に選定される。
【００１６】
そこで、従動側のプーリ１０１及び駆動側のプーリ１０２の少なくとも一方を囲むようにして、その周囲に、プーリと歯付ベルト５４の噛合により発生する騒音を低減するための膨張型の消音器が構成されている。図１は第１の実施形態に係る消音器の正面図であり、図２は第１の実施形態に係る消音器の一部破断下面図である。ここでは、従動側のプーリ１０１の周囲に設けた消音器を例に挙げて説明する。図１及び図２において、プーリ１０１は歯付ベルト５４と噛み合っており、歯付ベルト５４は両矢印で示す方向に駆動される。プーリ１０１の周囲は膨張型の消音器６０の消音室６１で囲まれている。消音室６１には歯付ベルト５４の出入口６２Ａ、６２Ｂが設けられており、出入口のそれぞれに、歯付ベルト５４の方向に所定距離だけ突出した接続管６４Ａ、６４Ｂが設けられている。
【００１７】
消音室６１の出入口６２Ａ、６２Ｂが設けられた壁面と対向する壁面は、歯付ベルト５４の平行走行方向に移動可能な移動壁６６で構成されている。この移動壁６６は、駆動機構７１により図示左右方向に平行移動するように駆動可能である。図示の駆動機構７１は、駆動源により回転駆動されるピニオン７２と移動壁６６に固定されたラック７３とで構成されている。移動壁６６を移動させることにより、消音室６１のダクト長Ｌを変えることができる。膨張型の消音器６０では、消音室６１の断面積Ｓ２と出入口６２Ａ、６２Ｂの断面積Ｓ１は所定の比率に設定されている。これにより、歯付ベルト５４とプーリ１０１の噛合を音源とする騒音の一部を、消音室６１の内面で反射させて位相を変化させる。そして、位相が変化した（例えば１／２波長位相を遅らせる）反射波を音源からの音波に合流させて干渉させることにより消音するように構成されている。
【００１８】
次に、騒音と消音周波数と関係、並びにこれらと膨張型消音器のダクト長Ｌとの関係について説明する。歯付ベルト５４の歯のピッチをＰ（ｍ）とし、キャリッジ４０の移動速度をＶ（ｍ／ｓ）とし、ベルトピッチ音（歯付ベルトとプーリの噛合音）の騒音周波数をＦｐ（Ｈｚ）とすると、次の式（１）の関係がある。
Ｆｐ＝Ｐ／Ｖ  ・・・・・・・・・（１）
図８は、式（１）に基づいて、キャリッジ４０の速度Ｖとベルトピッチ音の騒音ピーク周波数Ｆｐの関係を示す図表である。ただし、図８では、キャリッジの速度（横軸）は１秒当たりのインチ数（インチ／ｓ）で示され、騒音周波数は騒音のピーク周波数Ｆｐ（Ｈｚ）で示されている。また、歯付ベルト５４の歯のピッチＰは３ｍｍである。図８に示すように、キャリッジ４０の速度を２５〜６０インチ／ｓ（０．６３５〜１．５２４ｍ／ｓ）の範囲で変化させると、ベルトピッチ音の騒音ピーク周波数は２７０〜５１０Ｈｚの範囲で変化する。
【００１９】
この周波数帯における騒音（ベルトピッチ音）を低減するための消音器６０の条件は次のようになる。まず、膨張型消音器６０の消音周波数Ｆ（Ｈｚ）と消音室６１のダクト長Ｌ（ｍ）との関係は次の式（２）となる。
Ｌ＝ｃ／（４×Ｆ）・・・・・・・・・・（２）
ここで、ｃは音速（３４０ｍ／ｓ）である。
図９は式（２）の消音周波数（Ｈｚ）とダクト長Ｌ（ｍ）との関係を示す図表である。図９の関係から、  図８に示す騒音ピーク周波数２７０〜５１０Ｈｚに対応するダクト長（共鳴周波数可変長）Ｌは０．１６〜０．３１ｍとなる。このときの消音器６０による消音音圧ＴＬ（ｄＢ）は次の式（３）となる。
ＴＬ＝１０×ｌｏｇ10（１＋０．２５×（ｍ−１／ｍ）×
ｓｉｎ2 ｛（２πＦ／ｃ）×  Ｌ｝・・・・・・・・・（３）
ただし、ｍ＝Ｓ２／Ｓ１であり、Ｓ１は出入口６２Ａ、６２Ｂの断面積（開口面積）であり、Ｓ２は消音室６１の断面積である。
【００２０】
図１０は、式（３）において、消音室６１のダクト長Ｌを変化させたときの消音周波数（Ｈｚ）と消音音圧ＴＬ（ｄＢ）との関係を示す図表である。図１０中の矢印で示すように、消音器６０の消音音圧ＴＬが最大値を示す消音周波数Ｆは、消音室の長さ（ダクト長）Ｌに応じて変化している。図１０では、ダクト長Ｌを０．１７ｍ、０．２０ｍ、０．３１ｍに調整したときの消音音圧が示されている。こうしてキャリッジ４０の速度（走査速度）の変更に合わせてダクト長Ｌを変更して消音周波数Ｆを調整することにより、消音音圧ＴＬを最大にすることができる。これにより、ベルトピッチ音（騒音）を効果的に低減（消音）することができる。なお、図１０中に矢印（３本）で示すように消音音圧ＴＬが最大となる消音周波数Ｆは、消音器６０の目標消音周波数となるものである。記録動作においては、記録モードを設定するときにキャリッジ４０の速度設定の有無を確認し、図１０に示すような周波数特性に基づいて、キャリッジ４０の速度の変更に合わせて消音器６０のダクト長Ｌを変更することになる。
【００２１】
なお、本実施形態では、従動側のプーリ１０１を囲む消音器６０を例に挙げて説明したが、本発明に係る消音器は、歯付ベルトとプーリとの噛合部を囲む構成であればよく、駆動側のプーリ１０２など、他のプーリを囲む構成にしても良い。さらに、従動側のプーリ及び駆動側のプーリのそれぞれを囲む構成にしても良い。このような構成によっても、上述と同様の作用効果を奏する。
【００２２】
〔第２の実施形態〕
図１１は第２の実施形態に係る消音器の正面図であり、図１２は第２実施形態に係る消音器の一部破断平面図である。ここでも、従動プーリ１０１側に消音器８０を設ける場合を例に挙げて説明する。図１１及び図１２において、本実施形態に係る膨張型の消音器８０の消音室８１は、プーリ１０１を囲む内部消音室８７とその歯付ベルト５４の平行走行側に隣接して形成された外部消音室８８とで構成されている。そして、外部消音室８８によってダクト長Ｌを調整するように構成されている。また、図示の例では、外部消音室８８は、歯付ベルト５４の出入り口８５Ａ、８５Ｂに対応して２つの室８８Ａ、８８Ｂに分かれている。内部消音室８７と外部消音室８８（８８Ａ、８８Ｂ）の各仕切壁８２には、ベルト５４を通すための連通口８３（８３Ａ、８３Ｂ）が形成されている。外部消音室８８Ａ、８８Ｂの仕切壁８２と対向する壁面は２つの移動壁８４（８４Ａ、８４Ｂ）で構成されている。移動壁８４Ａ、８４Ｂのそれぞれには、歯付ベルト５４を通すための出入口８５（８５Ａ、８５Ｂ）が形成されている。移動壁８４Ａは、不図示の駆動源によりピニオン８７Ａ及びラック８８Ａを介して矢印方向に平行移動可能である。移動壁８４Ｂは、不図示の駆動源によりピニオン８７Ｂ及びラック８８Ｂを介して矢印方向に平行移動可能である。これらの移動壁８４を移動させることにより、外部消音室８８のダクト長Ｌを変更することができる。本実施形態に係る画像形成装置は、上記以外の構成では第１の実施形態と同じ構成を有する。
【００２３】
図１３は、歯付ベルトの歯ピッチが１ｍｍである場合のキャリッジの移動速度Ｖと騒音ピーク周波数Ｆｐの関係を示す図表である。一方、式（２）及び図９より、膨張型の消音器８０のダクト長Ｌは消音周波数が高いほど短くなる。例えば、歯ピッチが１ｍｍの歯付ベルト５４によりキャリッジ４０を毎秒６０インチの速度で駆動する場合、図１３に示すように、キャリッジの速度と騒音周波数の関係から騒音ピーク周波数は１５２４Ｈｚとなる。このピーク騒音を低減するためには、式（２）及び図９の消音周波数とダクト長との関係から、ダクト長Ｌ＝０．０５４ｍに調整することになる。
【００２４】
なお、図１及び図２の第１の実施形態では、プーリを囲む消音室６１自体の移動壁でダクト長を調整するので、ダクト長Ｌが短くなると、プーリの外径が大きい場合に調整が困難もしくは不可能になることがある。これに対し、本実施形態では、プーリを囲む内部消音室８７とは別に外部消音室８８を設け、外部消音室８８を形成する移動壁８４によりダクト長Ｌを調整するようにしたので、プーリの外径が大きい場合の調整上の不都合を解消することができる。そして、出入口８５Ａ、８５Ｂの断面積（開口面積）Ｓ１と消音室８１（８７、８８）の断面積Ｓ２との比率を第１の実施形態と同等にすることにより、同様な作用効果を奏することができる。
【００２５】
従って、本実施形態においても、キャリッジ４０の速度（走査速度）の変更に合わせてダクト長Ｌを変更して消音周波数Ｆを調整することにより、消音音圧ＴＬを最大にすることができる。これにより、ベルトピッチ音（騒音）を効果的に低減（消音）することができる。本実施形態でも、図１０中に矢印（３本）で示すように消音音圧ＴＬが最大となる消音周波数Ｆは、消音器６０の目標消音周波数となるものである。そして、記録動作においては、記録モードを設定するときにキャリッジ４０の速度設定の有無を確認し、図１０に示すような周波数特性に基づいて、キャリッジ４０の速度の変更に合わせて消音器６０のダクト長Ｌを変更することになる。
【００２６】
なお、本実施形態でも、従動側のプーリ１０１を囲む消音器８０を例に挙げて説明したが、本発明に係る消音器は、歯付ベルトとプーリとの噛合部を囲む構成であればよく、駆動側のプーリ１０２など、他のプーリを囲む構成にしても良い。さらに、従動側のプーリ及び駆動側のプーリのそれぞれを囲む構成にしても良い。このような構成によっても、上述と同様の作用効果を奏する。
【００２７】
以上説明した各実施形態は、移動するキャリッジ４０に搭載された記録ヘッド４１により画像を記録する画像形成装置に係る。この画像形成装置は、キャリッジに駆動を伝達するためのプーリ１０１と、プーリに張架されるとともにキャリッジに連結された歯付ベルト５４と、を備えている。さらに、歯付ベルトとプーリの噛合で生じる騒音を、プーリを囲む消音室６１（８１）により低減する消音器６０（８０）を備えている。消音器は、消音室の歯付ベルトの出入口が形成された移動壁６６（８４）を移動させることにより、消音室のダクト長Ｌを調整して消音周波数を調整するように構成されている。かかる構成の画像形成装置によれば、キヤリッジの移動速度の変更で歯付ベルトとプーリとの噛合で生じる騒音の周波数が変化する場合でも、騒音のピーク周波数を効率よく消音することができる。
【００２８】
なお、以上の実施形態では、インクを吐出して記録を行うインクジェット記録装置を例に挙げて説明した。本発明は、熱転写方式、感熱式、レーザービーム式、ワイヤードット式など、他の記録方式の画像形成装置にも同様に適用可能である。また、本発明は、プリンタ、ファクシミリ、複写機等の単体の画像形成装置の他、複合機器やシステム構成などにおける画像形成装置に対しても同様に適用可能である。
【図面の簡単な説明】
【００２９】
【図１】第１の実施形態に係る消音器の正面図である。
【図２】第１の実施形態に係る消音器の一部破断下面図である。
【図３】本発明を適用するのに好適な画像形成装置の一例を示す斜視図である。
【図４】図３の画像形成装置の縦断面図である。
【図５】キャリッジ駆動用の伝動機構の斜視図である。
【図６】図５の伝動機構の歯付ベルトの部分斜視図である。
【図７】キャリッジの移動速度と騒音ピーク周波数の関係を示す図表である。
【図８】歯付ベルトの歯ピッチが３ｍｍである場合のキャリッジの速度と騒音ピーク周波数の関係を示す図表である。
【図９】消音周波数とダクト長の関係を示す図表である。
【図１０】消音器のダクト長を変えたときの消音周波数と消音音圧の関係を示す図表である。
【図１１】第２の実施形態に係る消音器の正面図である。
【図１２】第２の実施形態に係る消音器の一部破断平面図である。
【図１３】歯付ベルトの歯ピッチが１ｍｍである場合のキャリッジの速度と騒音ピーク周波数の関係を示す図表である。
【符号の説明】
【００３０】
４０      キャリッジ
４１      記録ヘッド
５４      歯付ベルト
６０      消音器
６１      消音室
６６      移動壁
６２      歯付ベルトの出入口
８０      消音器
８１      消音室
８４      移動壁
８５      歯付ベルトの出入口
８７      内部消音室（消音室８１の）
８８      外部消音室（消音室８１の）
１００    キャリッジモータ
１０１、１０２    プーリ
Ｌ        ダクト長
Ｐ        ベルト歯のピッチ
【図１】
2009041694.tif 000003
【図２】
2009041694.tif 000004
【図３】
2009041694.tif 000005
【図４】
2009041694.tif 000006
【図５】
2009041694.tif 000007
【図６】
2009041694.tif 000008
【図７】
2009041694.tif 000009
【図８】
2009041694.tif 000010
【図９】
2009041694.tif 000011
【図１０】
2009041694.tif 000012
【図１１】
2009041694.tif 000013
【図１２】
2009041694.tif 000014
【図１３】
2009041694.tif 000015